(57)【要約】【課題】低騒音で操作性に優れたＣＰＡＰ療法等に用いられる呼吸装置を提供する。【解決手段】制御部と接続されたブロワを有し、ブロワは粘弾性またはエラストマの支持部材を介して保持されており、支持部材は分離機能およびさらなる機能を引き受ける。ブロワと支持部材は１つのブロワボックス５内に配置されている。制御部もブロワボックスも、１つのケーシング内に配置され、制御部は、少なくとも１つの表示装置２および少なくとも１つの操作素子３と接続されている。【選択図】図３
2020078732.tif 000002
【特許請求の範囲】
【請求項１】
人工呼吸のための装置であって、前記装置は、制御ボード（２３）と接続されたブロワ（９）を備え、前記制御ボード（２３）も前記ブロワ（９）も、１つのケーシング（１）内に配置されており、前記制御ボード（２３）は、少なくとも１つの表示装置（２）および少なくとも１つの操作素子（３）と接続されている、呼吸装置であり、前記ブロワ（９）は、前記ケーシング（１）内で粘弾性またはエラストマの結合エレメント（１２）により粘弾性またはエラストマの支持部材（１１）に接続されており、前記支持部材（１１）および前記結合エレメント（１２）は一体的に形成されており、前記結合エレメント（１２）は、フレームのように前記ブロワ（９）を取り囲んでおり、前記ブロワ（９）は、前記結合エレメント（１２）および／または前記支持部材（１１）により前記装置の内部の空間内に弾性に懸架されており、前記装置は、前記結合エレメント（１２）および／または前記支持部材（１１）と一体的に形成された複数の弾性の間隔エレメント（２７）をさらに備えることを特徴とする、装置。
【請求項２】
前記ケーシング（１）は、１つのフロントユニット（１ａ）および２つのケーシング部分（１６，１７）から成り、前記フロントユニット（１ａ）は前記表示装置（２）を備え、前記２つのケーシング部分（１６，１７）は、１つのブロワボックス（５）を形成することを特徴とする、請求項１に記載の装置。
【請求項３】
前記支持部材（１１）は、前記ケーシング部分（１６，１７）の間に保持されており、前記２つのケーシング部分（１６，１７）のうち第１のケーシング部分（１６）は、第１の高圧領域（１６．１）および第１の吸気領域（１６．２）を有し、前記２つのケーシング部分（１６，１７）のうち第２のケーシング部分（１７）は、第２の高圧領域（１７．１）および第２の吸気領域（１７．２）を有することを特徴とする、請求項２に記載の装置。
【請求項４】
前記支持部材（１１）は、前記２つのケーシング部分（１６，１７）の間で垂直方向に配置されていることを特徴とする、請求項２または３に記載の装置。
【請求項５】
前記支持部材（１１）は、前記２つのケーシング部分（１６，１７）と相互作用する密閉面（３１，３２）を有し、前記支持部材（１１）は第１のパッキン（３０）を形成し、前記第１のパッキンは、前記ケーシング部分（１６と１７）の密閉面（３１，３２）を密閉し、かつ前記支持部材は第２のパッキン（３３）を形成し、前記第２のパッキン（３３）は、前記２つのケーシング部分（１６，１７）の密閉面（３４，３５）を密閉し、それにより前記第１の高圧領域（１６．１）および前記第２の高圧領域（１７．１）を前記第１の吸気領域（１６．２）および前記第２の吸気領域（１７．２）から空気的に分離することを特徴とする、請求項２〜４のいずれか一項に記載の装置。
【請求項６】
前記支持部材（１１）は、前記ブロワボックス（５）内での空気の方向変換に用いられ、したがって音響減衰に用いられ、そのために少なくとも２つの開口部（１１．１，１１．２，１１．３，１１．４）を有し、前記空気は、前記２つのケーシング部分（１６，１７）のうち第１のケーシング部分（１６）にある吸気開口部から、前記少なくとも２つの開口部のうち１つ（１１．１）に向かって流れることを特徴とする、請求項２〜５のいずれか一項に記載の装置。
【請求項７】
前記支持部材（１１）は少なくとも１つの開口部（１１．４）を有し、前記開口部（１１．４）は１つのカラー（２８）によって取り囲まれていることを特徴とする、請求項１〜６のいずれか一項に記載の装置。
【請求項８】
前記ブロワボックス（５）内には、呼吸ガス流のために少なくとも３つの方向変換部（Ａ，Ｂ，Ｃ，Ｄ，Ｅ，Ｆ，Ｇ，Ｈ，Ｉ）が配置されており、前記方向変換部は、前記ブロワ（９）により搬送される空気を方向変換するように構成された部材であることを特徴とする、請求項１〜７のいずれか一項に記載の装置。
【請求項９】
前記ブロワボックス（５）内および／または前記支持部材（１１）上に、少なくとも１つの音響減衰材料（１１’，１１’’，１２，１７’，２８）が配置されていることを特徴とする、請求項１〜８のいずれか一項に記載の装置。
【請求項１０】
前記フロントユニット（１ａ）は、少なくとも１つの操作素子を有することを特徴とする、請求項２〜６のいずれか一項に記載の装置。
【請求項１１】
表示装置（２）は、垂直方向に対して傾斜して配置されていることを特徴とする、請求項１〜１０のいずれか一項に記載の装置。
【請求項１２】
前記ケーシング（１）は、三角形の側面を有することを特徴とする、請求項１〜１１のいずれか一項に記載の装置。
【請求項１３】
前記フロントユニットは、垂直方向に伸張する第１のセグメントと、垂直方向に対して傾斜した第２のセグメントとから成り、前記第２のセグメント内には表示装置（２）が配置されていることを特徴とする、請求項２〜６および１０のいずれか一項に記載の装置。
【請求項１４】
前記表示装置（２）は、プレート形状のディスプレイ（１３）として構成されており、前記ディスプレイは、フレーム形状のホルダエレメント（１４）によって前記フロントユニット（１ａ）内に固定されていることを特徴とする、請求項２〜６、１０、および１３のいずれか一項に記載の装置。
【請求項１５】
前記ホルダエレメント（１４）は、前記ディスプレイ（１３）を固定するためのクランプホルダ（１４ａ）を備え、または前記ホルダエレメント（１４）は前記フロントユニット（１ａ）内にネジ留め可能であることを特徴とする、請求項１４に記載の装置。
【請求項１６】
前記少なくとも１つの操作素子（３）は１つの機械的操作素子であり、前記１つの機械的操作素子（３）だけが、機器機能を作動するために前記制御ボード（２３）に接続されていることを特徴とする、請求項１〜１５のいずれか一項に記載の装置。
【請求項１７】
前記１つの機械的操作素子（３）に対して補充的にさらなる操作フィールドが、タッチスクリーンとして構成された前記ディスプレイ（１３）上に設けられていることを特徴とする、請求項１６に記載の装置。
【請求項１８】
前記ケーシング（１）内に配置された圧力センサには、差込可能なチューブ（２４）が接続されており、前記差込可能なチューブ（２４）は、第１の直径（２５）の管路部分と第２の直径（２６）の管路部分とから成り、前記第２の直径（２６）は前記第１の直径（２５）よりも小さく、前記圧力センサは、前記ケーシング（１）内の圧力を検出するように構成されており、前記差込可能なチューブ（２４）は、前記圧力センサにより検出された圧力を前方に送るように構成されていることを特徴とする、請求項１〜１７のいずれか一項に記載の装置。
【発明の詳細な説明】
【技術分野】
【０００１】
本発明は、制御部と接続されたブロワを有する呼吸装置に関するものであり、ここで前記制御部も前記ブロワも、１つのケーシング内に配置されており、前記制御部は、少なくとも１つの表示装置および少なくとも１つの操作素子と接続されている。
【背景技術】
【０００２】
この種の呼吸装置は、典型的にはエネルギー供給のために電源網に接続され、呼吸チューブを介して呼吸マスクと接続される。患者は、呼吸をしている間、呼吸マスクを顔面部に装着する。
【０００３】
例えばこの種の呼吸装置は、ＣＰＡＰ療法、ＡＰＡＰ療法またはＢｉ−Ｌｅｖｅｌ呼吸を実施するために使用される。基本的に機器の制御部により、任意の呼吸経過を設定することができる。
【発明の概要】
【発明が解決しようとする課題】
【０００４】
本発明の課題は、冒頭に述べ形式の装置を、より良い使用品質が提供されるように構成することである。
【課題を解決するための手段】
【０００５】
本発明による呼吸装置は、制御部と接続されたブロワを有し、ここで前記制御部も前記ブロワも、１つのケーシング内に配置されており、前記制御部は、少なくとも１つの表示装置および少なくとも１つの操作素子と接続されており、前記ブロワは、前記ケーシング内で粘弾性またはエラストマの支持部材により保持されている。
【０００６】
この装置は、前記ケーシングが、前記表示装置を有するフロントユニットから成り、前記ケーシングは、２つのさらなるケーシング部分を有し、当該ケーシング部分は１つのブロワボックスを形成する、ことを特徴とする。
【０００７】
この装置は、前記支持部材が前記複数のケーシング部分の間に保持されており、前記２つのケーシング部分はそれぞれ、相応の高圧領域と吸気領域のチャンバ半分を有する、ことも特徴とする。
【０００８】
この装置は、前記支持部材が、前記複数のケーシング部分の間で垂直方向に配置されている、ことも特徴とする。
【０００９】
この装置は、前記支持部材が１つのパッキンを形成し、当該パッキンは前記ケーシング部分の密閉面を密閉し、かつ前記支持部材が第２のパッキンを形成し、当該第２のパッキンは前記２つのケーシング部分の密閉面を密閉し、かつ前記第２のパッキンは、高圧領域を吸気領域から空気的に分離する、ことも特徴とする。
【００１０】
この装置は、前記支持部材が前記ブロワボックス内での空気の方向変換に、したがって音響減衰に用いられ、そのために少なくとも２つの開口部を有する、ことも特徴とする。
【００１１】
この装置は、前記支持部材が少なくとも１つの開口部を有し、当該開口部は、１つのカラーによって少なくとも部分的に取り囲まれている、ことも特徴とする。
【００１２】
この装置は、前記支持部材が空気流の偏向に用いられ、そのために開口部または切欠部を有し、前記支持部材は同様に音響減衰に用いられ、そのために少なくとも開口部に１つのカラーを有し、前記支持部材は、同様に音響分離およびブロワの保持に用いられ、したがってエラストマ材料から作製されており、そのために前記ブロワを保持する結合エレメントを有し、当該結合エレメントはさらにビードを有することができ、前記支持部材はさらに、環境に対して前記ケーシング部分を密閉するための少なくとも１つのパッキンを有し、かつ吸気領域と高圧領域を密閉するためのさらなる１つのパッキンを有し、前記支持部材はさらに、締め付けまたは付勢またはネジ留めによって前記複数のケーシング部分の間に保持される、ことも特徴とする。
【００１３】
この装置は、前記ブロワボックス内に、呼吸ガス流のために少なくとも３つの方向変換部が配置されている、ことも特徴とする。
【００１４】
この装置は、前記ブロワボックス内および／または前記支持部材に、少なくとも１つの音響減衰エレメントが配置されている、ことも特徴とする。
【００１５】
この装置は、前記フロントユニット内には前記表示装置および１つのフロントフィルムが収容されており、前記フロントフィルムは少なくとも１つの操作素子を有する、ことも特徴とする。
【００１６】
この装置は、表示装置が垂直方向に対して傾斜して配置されている、ことも特徴とする。
【００１７】
この装置は、前記ケーシングが三角形の横断面を有する、ことも特徴とする。
【００１８】
この装置は、前記フロントユニットが、垂直方向に伸張する第１のセグメントと、垂直方向に対して傾斜した第２のセグメントとから成り、当該第２のセグメント内には表示装置が配置されている、ことも特徴とする。
【００１９】
この装置は、前記表示装置がプレート形状のディスプレイとして構成されており、当該ディスプレイは、フレーム形状のホルダエレメントによって前記フロントユニット内に固定されている、ことも特徴とする。
【００２０】
この装置は、前記ホルダエレメントが、前記ディスプレイを固定するためのクランプホルダを備え、または前記ホルダエレメントは前記フロントユニット内にネジ留め可能である、ことも特徴とする。
【００２１】
この装置は、ただ１つの機械的操作素子だけが機器機能を作動するために設けられている、ことも特徴とする。
【００２２】
この装置は、ただ１つの機械的操作素子に対して補充的にさらなる操作フィールドが、タッチスクリーンとして構成されたディスプレイ上に設けられている、ことも特徴とする。
【００２３】
この装置は、機器内には、圧力測定部を接続するための管路案内部が、第１の直径の管路部分と第２の直径の管路部分とから形成されており、前記第２の直径は前記第１の直径よりも小さい、ことも特徴とする。
【００２４】
図面には本発明の実施例が概略的に図示されている。
【図面の簡単な説明】
【００２５】
【図１】傾斜して配置されたディスプレイを備える機器の斜視図である。
【図２】変更された機器構成の斜視図である。
【図３】フロントユニット、および取り付けられたブロワボックスの斜視図である。
【図３ａ】フロントユニット、および取り付けられたブロワボックスのさらなる斜視図である。
【図４】ブロワボックス内に配置されたブロワの斜視図であり、ここでブロワは周回するダイヤフラム構造によって保持されている。
【図４ａ】周回するダイヤフラムにより保持されたブロワのさらなる斜視図である。
【図５】部分的に分解され、空気供給が図示されたブロワボックスの斜視図である。
【図６】空気供給が図示されていない、図５に対応する図である。
【図７】ケーシング部分の内側斜視図である。
【図８】ディスプレイとして構成された表示装置を、フレームを使用してケーシング内に保持することを説明するための斜視図である。
【図９】ディスプレイとホルダフレームのさらなる斜視図である。
【図１０】ディスプレイとホルダフレームの組み立て図である。
【図１１】配設された外部操作ユニットを備える呼吸器のさらなる斜視図である。
【図１２】機器ケーシング内に配置された、圧力測定チューブを備える制御ボードの上面図である。
【発明を実施するための形態】
【００２６】
図１は、呼吸器（１）を示す。呼吸器（１）には、１つの表示装置（２）、少なくとも１つの操作素子（３）、および１つのチューブ接続部（４）が設けられている。
【００２７】
チューブ接続部（４）は、典型的には、図示しない呼吸ガスチューブとの接続に用いられ、この呼吸ガスチューブは、前記チューブ接続部（４）とは反対側の延長領域において、同様に図示しない呼吸マスクと接続されている。図示しない呼吸マスクは、同様に図示しない患者の呼吸ガス供給のために用いられる。チューブ接続部の領域には、オプションで、呼吸チューブを加熱するための（図示しない）電気接続部を取り付けることができる。
【００２８】
呼吸器（１）には、典型的には少なくとも１つの通信インタフェース（６）が設けられている。このインタフェース（６）は、ここでは側面領域に配置されている。インタフェース（６）は水平に対して傾斜しており、ディスプレイの空間的に近傍に配置されている。好ましくは呼吸器はさらに１つのインタフェース（６’）を有し、このインタフェースはモジュール（８）との結合に用いられる。
【００２９】
図示の実施例では、呼吸器（１）が呼吸ガス加湿器（７）と結合されている。呼吸器（１）は、オプションとして、呼吸ガス加湿器（７）付きでも、無しでも稼働することができる。
【００３０】
図１に図示された実施例によれば、呼吸器（１）のケーシングは、垂直方向の切断面に三角形の横断面を有する。
【００３１】
図１の実施形態によれば、呼吸器（１）には必要に応じて補助エレメント（８）を結合することができ、この補助エレメントは少なくとも１つのさらなる機器機能を提供する。ディスプレイ（１３）はここではユーザインタフェースとして、例えば呼吸器（１）のタッチスクリーンとして構成されている。ディスプレイ（１３）の領域には複数の入力キーが設けられており、これらの入力キーは、ユーザ入力を受信するように構成されている。ディスプレイ（１３）は、シフトロジックでキーと接続されており、複数の情報フィールドを有する。ここで各情報フィールドは対応する１つの入力キーに割り当てられており、対応する入力キーの種々の機能を表すグラフィック情報を指示するように構成されている。入力キーは、ディスプレイ（１３）の領域にある接触感知性の平面である。本発明によれば、少なくとも１つのさらなる操作素子（３）が設けられている。この操作素子（３）は機械的に操作可能であり、したがってディスプレイ上の接触面とは異なる。本発明によれば、呼吸器は操作素子（３）を介してスイッチオンおよびスイッチオフされ、したがって患者に適した基本的な治療を、ただ１つのキーによって作動することができる。そのために操作素子（３）は、シフトロジックでブロワモータと接続されており、これを作動すると共にメモリを作動することにより、ファイルされた治療データ、例えば圧力値を呼び出し、適用する。補充的に入力キーを介して個々の値、例えば圧力値を適合することができる。しかし本発明によれば、タッチスクリーン（１３）の入力キーを介する操作は、治療をスタートさせるためには必要ない。
【００３２】
図２に図示された実施形態によれば、図１の機器構成において、呼吸ガス加湿器（７）が呼吸器（１）から取り外されている。
【００３３】
図１と図２を参照すると、呼吸ガス加湿器（７）の使用には関係なく、常に同じチューブ接続部（４）が使用可能であることが分かる。したがって機器機能に応じて呼吸チューブを差し替える必要はない。
【００３４】
図３は、呼吸器（１）が、その機械的な基本構造に関しては２つの構成エレメントから成ることを示す。これらの構成エレメントは、操作素子（３）と表示装置（２）を備えるフロントユニット（１ａ）、およびブロワボックス（５）である。前記ブロワボックスは、前方部（１６）、ブロワ（９）を備える支持部材（１１）、および後方部（１７）を有する。前方部（１６）と後方部（１７）は、シェル形状に機器内部空間（１８）を取り囲む。ケーシング部（１６）および（１７）には、好ましくは発泡材から成る音響減衰材料（１６’ないし１７’）が装填されている。
【００３５】
図３と図３ａは、呼吸器（１）を、構成部材であるブロワボックス（５）とフロントユニット（１ａ）に分解して示す。これら図面から、構成部材の組み立ての際の簡単な取り扱いが明白である。フロントユニット（１ａ）は、ケーシングの他にとりわけ１つの表示装置（２）、１つの操作素子（３）および１つの制御ボード（２３）、並びに少なくとも２つのインタフェースを含む。好ましくはフロントユニット（１ａ）は、垂直に対して傾斜しており、表示装置（２）、少なくとも１つの操作素子（３）、および前記表示装置（２）に対して平行に配置された少なくとも１つの制御ボード（２３）、並びに少なくとも２つのインタフェースを含む。フロントユニット（１ａ）とブロワボックス（５）との組み立ては、フロントユニット（１ａ）にあるフック（１ｂ）を介して行われ、これらのフックはブロワボックス（５）の後方領域（５ａ）を把持する。フロントユニットは、前記フック（１ｂ）と前記領域（５ａ）から成る回転点を介して旋回される。付加的に、ブロワボックス（５）に配置されたスナップ（５ｂ）がフロントユニット（１ａ）の開口部（１ｃ）に係合する。保護のためにフロントユニット（１ａ）は２つのネジだけによってブロワボックス（５）と接続され、このようにして呼吸器（１）のケーシングを形成する。フロントユニット（１ａ）をブロワボックス（５）から取り外すためには、ネジを外し、スナップ（５ｂ）を解除するだけで良い。
【００３６】
図４の実施形態によれば、ブロワボックス（５）内に１つのブロワ（９）が配置されている。このブロワ（９）は、典型的には電気モータ（１０）により駆動される。
【００３７】
簡単な取り付けと取り外しを支援するために、ブロワ（９）は、好ましくは弾性または粘弾性の、支持部材（１１）により保持することができ、この支持部材はブロワボックス（５）内に装着可能である。
【００３８】
固体伝搬音分離を支援するために、ブロワ（９）は、同様に（粘）弾性の結合エレメント（１２）によって前記支持部材（１１）と接続されている。好ましくは支持部材（１１）と結合エレメント（１２）はワンピースに構成されている。これらは例えば１つのエラストマ材料から作製することができる。エラストマ材料は、これが弾性特性も粘性特性も有し、したがって振動エネルギーを吸収し、ないし熱に変換するという利点を有する。好ましい一実施形態によれば、結合エレメント（１２）はブロワ（９）をフレーム形状に取り囲む。それぞれの適用要求に応じて、結合エレメント（１２）はリング形状に構成することができる。好ましくは結合エレメント（１２）は、ビードまたは例えばスピーカで使用される弾性の懸架エレメントに類似する同様の形態エレメントを有し、これにより比較的長い分離経路にわたって振動を良好に吸収することができる。ブロワ（９）は、（粘）弾性の結合エレメント（１２）および／または支持部材（１１）によって弾性に機器内部空間内に懸架されている。これにより、ケーシング（１，１６，１７）への固体伝搬音の伝達が効果的に回避される。付加的に、好ましくは結合エレメント（１２）および／または支持部材（１１）とワンピースに構成された弾性の間隔エレメント（２７）を設けることができる。これらの間隔エレメントは、ブロワとケーシング（１，１６，１７）との接触を効果的に回避する。そのために間隔エレメントは、結合エレメント（１２）および／または支持部材（１１）の片側または両側に設けることができ、例えば垂直方向に伸張する。
【００３９】
結合エレメント（１２）を備える支持部材（１１）は、好ましくは粘弾性材料、例えばシリコーンから作製される。
【００４０】
支持部材（１１）は、結合エレメント（１２）の他に種々の空気開口部（１１．１，１１．２，１１．３，１１．４）を含み、これにより比較的に長い空気経路を達成し、したがってさらなる音響減衰を達成する。流れをさらに方向変換することも、結合エレメントによって達成することができる。
【００４１】
支持部材（１１）は、ケーシング（９）の収容およびブロワボックス（５）の機器内部空間（１８）を通る、図５に示される所期のガスの流れに用いられる他、ケーシング部分（１６）と（１７）との間の密閉にも用いられる。支持部材（１１）の外側輪郭は、ケーシング部分（１６と１７）の輪郭を受けて、そうすることでケーシング部分（１６と１７）の間の縁部領域を密閉する。好ましくは支持部材（１１）は、ケーシング部分（１６と１７）の間に垂直に張架され、または敷設され、ケーシング部分（１６と１７）の固定によって（例えばネジ留めによって）互いに保持される。そして支持部材（１１）の粘弾性特性によりケーシング部分（１６と１７）が密閉される。そのために支持部材は、例えば周回するまたは断続的な、例えばエッジとして構成されたパッキン（３０）を有する。ケーシング部分（１６と１７）は、密閉エッジ（３０）に対して相補形の密閉面（３１，３２）を有する。
【００４２】
支持部材（１１）は、空気流の偏向に用いられ、そのために開口部または切欠部（１１．１，１１．２，１１．３，１１．４）を有する。支持部材（１１）は同様に音響減衰に用いられ、そのために少なくとも１つの開口部（１１．４）にカラー（２８）を有する。支持部材（１１）は同様に音響分離とブロワの保持に用いられ、したがってエラストマ材料から作製されており、そのためにブロワを保持するための結合エレメント（１２）を有する。さらに結合エレメント（１２）はビードを有し、これにより固体伝搬音の伝達を緩和する。さらに支持部材（１１）は、密閉面（３１，３２）を介してケーシング部分（１６と１７）を環境に対して密閉するために少なくとも１つのパッキン（３０）を有し、かつ、吸気領域および高圧領域を、密閉面（３４，３５）を介して密閉するためのさらなるパッキン（３３）を有する。支持部材はさらにワンピースに構成されており、締め付けまたは付勢またはネジ留めによってケーシング部分（１６と１７）の間に保持される。
【００４３】
図４ａは、支持部材（１１）を別の視野から示す。ここではブロワ（９）の吸気領域（９’）と空気吹き出し部（９’’）が図示されている。付加的な発泡材エレメント（１１’）がジャーナル（１１’’）により支持部材（１１）上に保持される。この発泡材エレメントは、空気方向変換および音響減衰に用いられる。
【００４４】
図５は、ブロワボックス（５）を通る典型的な空気の流れを示す。Ａにしたがい空気が後方部（１６）にある吸気開口部を通して吸引され、Ｂにしたがい支持部材（１１）内の開口部（１１．１）を通って流れる。Ｃにしたがい空気の流れは、前方部（１７）にあるチャンバ（１７．１）により垂直に方向変換され、支持部材（１１）にある開口部（１１．２）を通って、領域（１６．２）内のエアチャンバへと後方部（１６）に戻される。そこで空気は対角方向に方位変換され、Ｄにしたがって開口部（１１．３）を通って流れ、対角方向に方向変換され、さらに領域（９’）においてＥにしたがいブロワ（９）に流入する。ブロワ（９）により搬送された空気は、前方部（１７）にある領域（１７．２）においてＦにしたがいエア吹き出し部（９’’）を通ってブロワを去り、さらにＧにしたがって支持部材（１１）にある開口部（１１．４）を通って流れる。Ｈにしたがって空気の流れは、領域（１６．１）において後方部（１６）に達し、そこの流量測定装置を通流し、Ｉにしたがって再度方向変換され、後方部（１６）を去って音響減衰器または呼吸ガス加湿器に達する。
【００４５】
図６は、図５による構成部材を、機械的構造を詳細に説明するために示すものであり、ここではガス流の流れ矢印はプロットされていない。支持部材（１１）は好ましくは少なくとも１つの開口部または切欠部（１１．１，１１．２．．．）を有し、これは空気偏向に用いられる。支持部材（１１）は好ましくは少なくとも１つの開口部または切欠部（１１．４）を有し、これは隆起するカラー（２８）によって少なくとも部分的に取り囲まれている。カラーは、切欠部（１１．４）の片側または両側に設けることができる。カラー（２８）は支持部材（１１）とワンピースに連結されており、空気の偏向および空気伝搬音の減衰に用いられる。ブロワ（９）により搬送される空気は、空気吹き出し部（９’’）を通ってブロワを去る。空気吹き出し部の直後で加速された空気が、流れ方向変換器（２９）により約９０°方向変換され、カラー（２８）を備える切欠部（１１．４）の方向に案内される。
【００４６】
図７は、前方部（１７）にあるケーシング内部空間（１８）を、装着された音響減衰材料（１７’）、並びにエアチャンバ（１７．１）および（１７．２）と共に示す。
【００４７】
本発明によれば、エアチャンバ（１７．１）と（１７．２）は、高圧領域（１７．１）および低圧領域ないし吸気領域（１７．２）である。対応して２つのケーシング部分（１６，１７）はそれぞれ、相応の高圧領域（１６．１，１７．１）と吸気領域（１６．２，１７．２）のチャンバ半分を有する。
【００４８】
支持部材（１１）は、高圧領域（１６．１，１７．１）と吸気領域（１６．２，１７．２）の分離のためにパッキン（３３）を有する。このパッキンは、ケーシング部材（１６と１７）の間に垂直に張架され、ケーシング部分（１６と１７）の固定によって（例えばネジ留めによって）互いに保持される。ケーシング部分（１６と１７）は、前記パッキン（３３）に対して相補形の密閉面（３４，３５）を有する。
【００４９】
支持部材とケーシング部分（１６，１７）との相互作用で、互いに密閉された種々の空間が生じる。支持部材（１１）は、高圧領域（１６．１，１７．１）を吸気領域（１６．２，１７．２）から密閉する。さらに支持部材（１１）は、２つのケーシング部分（１６，１７）を分離する。したがって４つのチャンバが創出され、これらのチャンバは開口部（１１．１，１１．２，１１．３，１１．４）によって相互に連通し、空気を偏向する。
【００５０】
図８の実施形態によれば、表示装置（２）はディスプレイ（１３）として構成されている。ディスプレイ（１３）はプレート形状に構成されており、フレーム形状のホルダエレメント（１４）によってケーシング（５）内部に固定されている。好ましくはディスプレイ（１３）がホルダエレメント（１４）に装着され、クランプホルダ（１４ａ）によってホルダエレメント（１４）に固定されることが考えられる。これはケーシング内でディスプレイをより良く固定するのに役立つ。なぜならディスプレイはオーバヘッドにケーシングに取り付けられ、クランプホルダを備えないと落下することがあるからである。さらにホルダエレメント（１４）は、ディスプレイ（１３）の製造公差をクランプホルダ（１４ａ）の種々の張力によって補償できるように構成されている。個別の部材が図９に示され、ディスプレイ（１３）とホルダエレメント（１４）から成る予め組み立てられたユニットが図１０に示されている。予め組み立てられたユニットは、ネジ（１５）を使用してケーシング（５）に対して付勢される。好ましくはディスプレイ（１３）とケーシング（１ａ）との間にパッキン（１４ｂ）が配置されている。例えば他の製造業者の他のディスプレイ（１３）を使用する場合には、この実施形態では、ホルダエレメント（１４）だけをそのディスプレイに適合すれば良く、ケーシング構造はそのまま維持できる。
【００５１】
例えばディスプレイは外側からもフロントユニットに装着することができ、その場合、フレームはこの前方部の切り離せない構成部分である。この実施形態では、前方部は、フロントフィルムまたは操作フィルムを付加的に使用して構成され、このフィルムも同様に前方からフロントエレメントに装着される。これによりディスプレイはケーシング部分とフロントフィルムとの間に収容され、保持される。さらなる好ましい一実施形態では、操作フィルムが、前方部の外から可視である部分を実質的に覆う。ディスプレイ上の前記接触感知性面とは択一的にまたは補充的に、さらなる操作機能をフロントフィルムに組み込むことができる。
【００５２】
図１１は、通信モジュールとして構成された補助エレメント（８）が呼吸器（１）に設けられた一実施形態を示す。この補助エレメント（８）は、ここでは睡眠ポリグラフ機器（ＰＳＧ）（１９）との接続に用いられる。ＰＳＧ（１９）の接続は、ケーブル（２０）を使用して行うことができ、このケーブルはコネクタ（２１）を介して補助エレメント（８）のインタフェース（２２）と接続することができる。
【００５３】
図１２は、制御ボード（２３）の上面図であり、この制御ボードは呼吸器（１）のフロントユニット（１ａ）内に配置することができる。制御ボード（２３）は圧力測定を支援し、圧力を前方に送るために差込可能なチューブ（２４）が設けられている。
【００５４】
図示の実施例によれば、チューブ（２４）は、第１の直径を備える第１のチューブ部分（２５）と、第２の直径を備える第２のチューブ部分（２６）とから成る。前記第１の直径は、前記第２の直径よりも大きい。
【００５５】
第１のチューブ部分（２５）と第２のチューブ部分（２６）とを組み合わせることにより、とりわけ圧力信号中に存在する高調波をろ波除去する信号フィルタが提供される。チューブ部分（２５，２６）によりフィルタを機械的に実現する代わりに、基本的に、電気的、電子的またはソフトウエアに基づくフィルタリングも可能である。
【図１】
2020078732.tif 000003
【図２】
2020078732.tif 000004
【図３】
2020078732.tif 000005
【図３ａ】
2020078732.tif 000006
【図４】
2020078732.tif 000007
【図４ａ】
2020078732.tif 000008
【図５】
2020078732.tif 000009
【図６】
2020078732.tif 000010
【図７】
2020078732.tif 000011
【図８】
2020078732.tif 000012
【図９】
2020078732.tif 000013
【図１０】
2020078732.tif 000014
【図１１】
2020078732.tif 000015
【図１２】
2020078732.tif 000016